(57)【要約】【課題】  居住者が複数いる場合でも、居住空間をできるだけ各居住者毎に最適な気圧に設定保持できるようにし、居住性を向上させて長期滞在が快適にできるようにする。【解決手段】  外壁に囲繞され外気を吸入可能な居住空間Ｋを備えるとともに、居住空間Ｋの内気圧を調整する気圧調整装置を備え、居住空間Ｋとして、外気よりも高い互いに異なる内気圧に設定保持可能に区画された第一高圧空間Ｋ１及び第二高圧空間Ｋ２を備えて構成した。【選択図】  図１
2006328912.tif 000002
【特許請求の範囲】
【請求項１】
外壁に囲繞され外気を吸入可能な居住空間を備えるとともに、該居住空間の内気圧を調整する気圧調整装置を備えたシェルタにおいて、
上記居住空間として、外気よりも高い互いに異なる内気圧に設定保持可能に区画された２以上の高圧空間を備えて構成したことを特徴とするシェルタ。
【請求項２】
上記居住空間として、上記外壁に設けられる開閉可能な外ドアを有した外出入口と、上記高圧空間に出入りするための開閉可能な内ドアを有した内出入口とを備え、外との出入りの際に使用する出入口空間を備えたことを特徴とする請求項１記載のシェルタ。
【請求項３】
上記気圧調整装置を、空気を圧縮するコンプレッサと、該コンプレッサから各居住空間に配管され空気量調整バルブにより給気量を調整可能な給気管と、該各居住空間に配管され排気量調整バルブにより排気量を調整可能な排気管と備えて構成したことを特徴とする請求項１または２記載のシェルタ。
【請求項４】
上記居住空間内に、飲料水を給水する給水器と、該給水器から給水されて使用に供された生活廃水を排水する排水口と、上記生活廃水を洗浄水として流して汚水として排水する水洗トイレ装置とを設け、
上記給水器が上水管を介して接続され飲料水を貯留する飲料水貯留タンクと、上記排水口が下水管を介して接続され該排水口から排水される生活廃水を貯留する生活廃水貯留タンクと、該水洗トイレ装置からの汚水を貯留する汚水貯留タンクとを備えことを特徴とする請求項１，２または３記載のシェルタ。
【請求項５】
上記給水及び排水の全部若しくは一部を、上記居住空間の圧力差を用いて行なう配管を備えたことを特徴とする請求項４記載のシェルタ。
【請求項６】
上記水洗トイレ装置は、上記居住空間の圧力差により生活廃水を洗浄水として流して汚水貯留タンクへ汚水として排水する洗浄機構を備えたことを特徴とする請求項５記載のシェルタ。
【請求項７】
上記高圧空間の少なくとも一つを、上記飲料水貯留タンク，生活廃水貯留タンク，汚水貯留タンクのいずれかのタンク内に設置したことを特徴とする請求項４乃至６いずれかに記載のシェルタ。
【請求項８】
上記少なくとも１つの居住空間を、上記外壁の外に分離可能なカプセルで構成したことを特徴とする請求項１乃至７いずれかに記載のシェルタ。
【請求項９】
上記カプセルに該カプセルを外部から引き上げるための索体が係止される係止体を設けたことを特徴とする請求項８記載のシェルタ。
【請求項１０】
上記外壁に上記カプセルが通過可能な開口を設け、該開口に常閉の開閉扉を設け、該カプセルに該カプセル内で操作され上記開閉扉を開にして上記係止体を外部に露出させる扉駆動機構を設けたことを特徴とする請求項９記載のシェルタ。
【請求項１１】
上記外壁下部に、車輪を設け、自動車で牽引して移動可能にしたことを特徴とする請求項１乃至１０いずれかに記載のシェルタ。
【発明の詳細な説明】
【技術分野】
【０００１】
本発明は、居住できる居住空間を備えた居住型のシェルタに係り、特に、外壁に囲繞され外気よりも高い圧力に設定保持可能な居住空間を備えたシェルタに関する。
【背景技術】
【０００２】
従来、この種のシェルタとしては、例えば、本願出願人が先に提案し、特許文献１（特開２００５−１６２１６号公報）に記載された技術が知られている。
図２２に示すように、このシェルタＳａは、放射線を遮断可能な外壁１００に囲繞され外気を吸入可能な２つの居住空間１０１，１０２を備えて構成されており、１つの居住空間１０１は、居間，寝所，シャワー室などが設けられ外気よりも高い圧力に設定保持可能な高圧空間１０１ａとして構成され、他の１つの居住空間１０２は、外壁１００に設けられる開閉可能な外ドア１０３を有した外出入口１０４と、高圧空間１０１ａに出入りするための開閉可能な内ドア１０５を有した内出入口１０６とを備え、外との出入りの際に使用する出入口空間１０２ａとして構成されている。各居住空間１０１，１０２の内気圧は図示外の気圧調整装置により調整され、特に、出入口空間１０２ａは、高圧空間１０１ａと同じ内気圧に設定されるようになっている。
【０００３】
そして、シェルタＳａに入る際は、まず、内出入口１０６を閉めた状態で、外出入口１０４の外ドア１０３を開けて出入口空間１０２ａに入り外ドア１０３を閉める。次に、出入口空間１０２ａを高圧空間１０１ａと同じ内気圧に設定し、内ドア１０５を開けて内出入口１０６から高圧空間１０１ａに入る。また、シェルタＳａから出る際は、出入口空間１０２ａを高圧空間１０１ａと同じ内気圧に設定し、内ドア１０５を開けて内出入口１０６から出入口空間１０１ａに入り、内ドア１０５により内出入口１０６を閉めてから、外出入口１０４の外ドア１０３を開けて外部に出る。これにより、高圧空間１０１ａの内気圧を保持した状態で外との出入りができる。
【０００４】
また、高圧空間１０１ａにおいては、例えば、約２０００ｈＰａに保持される。そのため、常時外気圧より高い一定の気圧環境で居住することができ、一般に外気圧より高い環境は、健康に良いとされ、また、気圧変動がないことから、居住性が向上させられ長期滞在が快適にできるようになる。
また、災害等の非常時においては、居住空間１０１が放射線を遮断可能な外壁１００により囲繞されているので、シェルタ機能が発揮される。
【０００５】
【特許文献１】特開２００５−１６２１６号公報
【発明の開示】
【発明が解決しようとする課題】
【０００６】
ところで、上記従来のシェルタＳａにおいては、高圧空間１０１ａが１つなので、居住者が複数いる場合には、各居住者毎に体調等の理由で最適な気圧が異なると、これに対応できないという欠点があった。尚、出入口空間１０２ａは、内気圧調整可能であるが、高圧空間１０１ａと同じ気圧にしか調整できないので、用に供することができない。
本発明は上記の問題点に鑑みて為されたもので、居住者が複数いる場合でも、居住空間をできるだけ各居住者毎に最適な気圧に設定保持できるようにし、居住性を向上させて長期滞在が快適にできるようにしたシェルタを提供することを目的とする。
【課題を解決するための手段】
【０００７】
上記課題を解決するため、本発明のシェルタは、外壁に囲繞され外気を吸入可能な居住空間を備えるとともに、該居住空間の内気圧を調整する気圧調整装置を備えたシェルタにおいて、上記居住空間として、外気よりも高い互いに異なる内気圧に設定保持可能に区画された２以上の高圧空間を備えて構成している。
これにより、各高圧空間において、外気よりも高い互いに異なる内気圧環境で居住することができる。そのため、居住者が複数いる場合には、各居住者毎に体調等の理由で最適な気圧が必要になることがあるが、各高圧空間は夫々異なる内気圧に設定できるので、各居住者毎に最適な気圧を選択することができ、そのため、居住性が向上させられ、長期滞在が快適にできるようになる。
【０００８】
そして、必要に応じ、上記居住空間として、上記外壁に設けられる開閉可能な外ドアを有した外出入口と、上記高圧空間に出入りするための開閉可能な内ドアを有した内出入口とを備え、外との出入りの際に使用する出入口空間を備えた構成としている。この場合、出入りの際に、出入口空間の気圧と高圧空間の内気圧とを同じにすることができ、そのため、高圧空間の空気と外部の空気の急激な流通を防止でき、安全に出入りを行なうことができるようになる。尚、出入口空間を、外気よりも高い他の高圧空間と互いに異なる内気圧に設定保持可能な高圧空間として構成してよい。
【０００９】
また、必要に応じ、上記気圧調整装置を、空気を圧縮するコンプレッサと、該コンプレッサから各居住空間に配管され空気量調整バルブにより給気量を調整可能な給気管と、該各居住空間に配管され排気量調整バルブにより排気量を調整可能な排気管と備えて構成している。簡易な構造で外気を吸入可能できその気圧調整を行なうことができる。
【００１０】
更に、必要に応じ、上記居住空間内に、飲料水を給水する給水器と、該給水器から給水されて使用に供された生活廃水を排水する排水口と、上記生活廃水を洗浄水として流して汚水として排水する水洗トイレ装置とを設け、
上記給水器が上水管を介して接続され飲料水を貯留する飲料水貯留タンクと、上記排水口が下水管を介して接続され該排水口から排水される生活廃水を貯留する生活廃水貯留タンクと、該水洗トイレ装置からの汚水を貯留する汚水貯留タンクとを備えた構成としている。
この場合、生活廃水を水洗トイレ装置の洗浄水として二次利用できるので、無駄がなく効率が極めて良くなる。
【００１１】
更にまた、必要に応じ、上記給水及び排水の全部若しくは一部を、上記居住空間の圧力差を用いて行なう配管を備えた構成としている。居住空間の圧力差を用いて給水あるいは排水を行なうので、ポンプなどの特別な給排水用の装置が不要になり、それだけ、構造も簡易で省力化が図られる。
この場合、上記水洗トイレ装置は、上記居住空間の圧力差により生活廃水を洗浄水として流して汚水貯留タンクへ汚水として排水する洗浄機構を備えたことが有効である。生活廃水の利用を、構造を簡易にして容易に行なうことができるようになる。
【００１２】
また、必要に応じ、上記高圧空間の少なくとも一つを、上記飲料水貯留タンク，生活廃水貯留タンク，汚水貯留タンクのいずれかのタンク内に設置した構成としている。水は放射線を遮り易いので、例えば核爆発が外部で発生して放射線が放射されても、タンク内の高圧空間内は放射線の影響が低減されるので、より安全になる。
【００１３】
そしてまた、必要に応じ、上記少なくとも１つの居住空間を、上記外壁の外に分離可能なカプセルで構成している。非常時にカプセルを切り離し、居住者を内部に収容したまま、脱出させることができるので、脱出の安全が確実に図られる。
この場合、上記カプセルに該カプセルを外部から引き上げるための索体が係止される係止体を設けたことが有効である。ヘリコプター等で索体に引っ掛けて吊るして搬送できるので、脱出を容易且つ確実に行なうことができるようになる。
また、必要に応じ、上記外壁に上記カプセルが通過可能な開口を設け、該開口に常閉の開閉扉を設け、該カプセルに該カプセル内で操作され上記開閉扉を開にして上記係止体を外部に露出させる扉駆動機構を設けた構成としている。居住者はカプセル内に入って操作できるので、外部の影響を受けることなく安全に操作することができる。
【００１４】
そして、必要に応じ、上記外壁下部に、車輪を設け、自動車で牽引して移動可能にした構成としている。移動が自由になり汎用性が増す。
【発明の効果】
【００１５】
本発明のシェルタによれば、平常時には、外気を取り入れて居住空間内に空気を送り込み、しかも、常時外気圧より高い一定の気圧環境で居住することができ、気圧変動がないことから、居住性が向上させられ長期滞在が快適にできるようになり、療養施設としても使用することができ、使用用途を広げることができる。また、災害等の非常時の際にも避難できるシェルタとしての機能を発揮させることができる。
そして、居住空間として、外気よりも高い互いに異なる内気圧に設定保持可能に区画された２以上の高圧空間を備えたので、各高圧空間において、外気よりも高い互いに異なる内気圧環境で居住することができる。そのため、居住者が複数いる場合には、各居住者毎に体調等の理由で最適な気圧が必要になることがあるが、各高圧空間は夫々異なる内気圧に設定できるので、各居住者毎に最適な気圧を選択することができ、そのため、居住性を大幅に向上させ、長期滞在をより一層快適にできるようにすることができる。
【発明を実施するための最良の形態】
【００１６】
以下、添付図面に基づいて、本発明の実施の形態に係るシェルタについて詳細に説明する。
図１乃至図１６には、本発明の第一の実施の形態に係るシェルタＳを示している。このシェルタＳは、自動車Ｃで牽引されて移動可能なタイプのものであり、外壁１に囲繞され外気を吸入可能な居住空間Ｋを備えるとともに、居住空間Ｋの内気圧を調整する気圧調整装置２００を備えている。
【００１７】
シェルタＳの外壁１は、図１乃至図６に示すように、ボックス状に形成されており、後側の矩形状部２と前側の半円形状部３とからなる。外壁１は、図６に示すように、格子状の骨組４の表裏に金属製等の板材５を張設し、この外壁１の内部には、放射線を遮断可能にするとともに、外部と居住空間Ｋとを断熱する放射線カット断熱材（図示せず）が備えられている。放射線を遮断し、居住空間Ｋ内を安全に保つことができる。
【００１８】
ボックス状の外壁１は、車台６に搭載されており、車台６には、車輪７が設けられている。車輪７は、鉄製のリムにエアが注入されるゴムタイヤを設けたもので、火災などでゴムが燃えても、リムが機能できるように形成されている。また、車台６の後ろ側には、乗降可能な手摺つきのステップ８が設けられている。
【００１９】
また、外壁１内には、各々区画された部屋で構成され、矩形状部２の上部に設けられ飲料水を貯留する飲料水貯留タンク１０と、生活廃水を貯留する生活廃水貯留タンク１１と、生活廃水よりも更に汚れた汚水を貯留する汚水貯留タンク１２とが設けられている。更に、図１６に示すように、コンプレッサ１３，発電機１４，ＬＰガスボンベ１５，酸素ボンベ１６，給湯器１７，ガソリンタンク１８を収納する複数の収納庫１９ａ，１９ｂ，１９ｃ，１９ｄを備えている。また、収納庫としては種々の物を入れておく物置１９ｅも備えられている。発電機１４はガソリンタンク１８のガソリンを燃料として発電され、図示外の内部の電灯などの電気設備に電力を供給する。ＬＰガスボンベ１５のガスは給湯器１７や図示外のコンロなどの燃料を供給する。
【００２０】
居住空間Ｋとしては、外気よりも高い互いに異なる内気圧に設定保持可能に区画された２以上の高圧空間Ｋ１，Ｋ２を備えて構成されている。実施の形態では、円筒状の金属製第一カプセルＰ１で囲繞された第一高圧空間Ｋ１と、同様に円筒状の金属製第二カプセルＰ２で囲繞された第二高圧空間Ｋ２の２つの高圧空間Ｋ１，Ｋ２を備えている。第一高圧空間Ｋ１はその円筒の軸線を垂直にして前側の半円形状部３側に設けられ、第二高圧空間Ｋ２はその円筒の軸線を車幅方向に水平にして矩形状部の上側であって飲料水貯留タンク１０内に設けられている。水は放射線を遮り易いので、例えば核爆発が外部で発生して放射線が放射されても、タンク１０内の第二高圧空間Ｋ２内は放射線の影響が低減されるので、より安全になる。
【００２１】
また、居住空間Ｋとしては、外との出入りの際に使用する円筒状の第三カプセルＰ３で囲繞された出入口空間ＫＡを備えている。出入口空間ＫＡは、その円筒の軸線を垂直にして矩形状部の後部であって第二高圧空間Ｋ２の下に設けられている。図８に示すように、出入口空間ＫＡを形成する第三カプセルＰ３には、上記のステップ８に面した外壁１の後部に設けられ開閉可能かつ閉時に密閉されるヒンジ開閉型の外ドア２０を有した外出入口２１と、第一高圧空間Ｋ１に出入りするための開閉可能かつ閉時に密閉されるヒンジ開閉型の内ドア２２を有した内出入口２３とが備えられている。
【００２２】
図９及び図１０に示すように、第一高圧空間Ｋ１と第二高圧空間Ｋ２とは連通路を有した後述の接続部５０を介して接続されており、第一高圧空間Ｋ１を形成する第１カプセルの円筒状の連通路５３には、開閉可能かつ閉時に第一高圧空間Ｋ１と第二高圧空間Ｋ２とを密閉して仕切るヒンジ開閉型の開閉ドア２４が設けられている。また、第二高圧空間Ｋ２を形成する第２カプセルの連通路５４にも、開閉可能かつ閉時に第一高圧空間Ｋ１と第二高圧空間Ｋ２とを密閉して仕切る引戸型のシャッタ２５が設けられている。
【００２３】
第一高圧空間Ｋ１を形成する第一カプセルＰ１内は、図５，図７乃至図１０に示すように、一階フロア３０と、二階フロア３１とを備え、各階との間に往来可能な階段３２が設けられている。
一階フロア３０には、内出入口２３に隣接し椅子３３を備えた入口ホール３４と、入口ホール３４に隣接しシンク３５を備えた居間３６と、居間３６に隣接し壁で仕切られたトイレ３７と、入口ホール３４，居間３６及びトイレ３７に隣接し壁で仕切られ浴槽３８を備えたバスルーム３９とが設けられている。居間３６とトイレ３７との間の壁、居間３６とバスルーム３９との間の壁、バスルーム３９とトイレ３７との間の壁には、夫々、開閉する折畳式の開閉戸４０が設けられている。また、バスルーム３９には入口ホール３４に開閉する折畳式の窓４１が設けられている。階段３２の上り口は居間３６に設けられている。
【００２４】
また、図９に示すように、居間３６の床下は、上開放の箱４２が複数並べられ且つ移動可能に収納される床下空間４３として形成されている。床の数箇所には、着脱自在な蓋４４で覆われ箱４２に物を収納したり物を取り出すための開口４５が設けられている。各箱４２は床下空間４３において押されあるいは引っ張られて順次スライド移動させられ、物の出し入れの際に開口４５に対応させて位置させることができる。
更に、二階フロア３１は、寝室として構成されている。
【００２５】
第二高圧空間Ｋ２を形成する第二カプセルＰ２は、寝室として用いられ、図４に示すように、第一カプセルＰ１から切り離されて外壁１の外に分離可能に設けられている。図４，図１５及び図１６に示すように、第二カプセルＰ２の下側には空気を貯留する空気タンクＡＴが設けられている。また、図３及び図４，図９乃至図１１，図１３及び図１５に示すように、第一カプセルＰ１と第二カプセルＰ２との接続部５０は、接続分離可能且つ接続時にシール可能に形成されている。即ち、接続部５０は、第一カプセルＰ１に固定されこの第一カプセルＰ１側の連通路５３が設けられた第一接続体５１と、第二カプセルＰ２に固定されこの第二カプセルＰ２側の連通路５４が設けられた第二接続体５２とを備えている。第一接続体５１及び第二接続体５２は、中空状の矩形の箱体を、上下に２分割した分割体で夫々構成されている。第一接続体５１は下側の分割体で構成されその第一カプセルＰ１側の壁面に第一カプセルＰ１側の連通路５３が固定され、第二接続体５２は上側の分割体で構成されその第二カプセルＰ２側の壁面に第二カプセルＰ２側の連通路５４が固定されている。また、各分割体の分割縁部は、円筒状の連通路５３，５４に倣って半円形に形成されている。また、図１１に示すように、第一カプセルＰ１側の分割縁部は、第二カプセルＰ２の分割縁部が嵌合する溝５５で形成されており、この溝５５にはパッキン５６が設けられており、接続時にシールして密封できるようにしている。そして、第一接続体５１及び第二接続体５２は、その接続時に、後述のロック機構９０でロックされ、ロック解除時に分離可能になる。
【００２６】
第二カプセルＰ２には、図１，図３，図４，図１２乃至図１５に示すように、この第二カプセルＰ２を外部から引き上げるための例えばヘリコプターから吊下される索体（図示せず）のフック（図示せず）が係止される係止体６０が設けられている。図１２に示すように、係止体６０は、第二カプセルＰ２の上部に回動可能に設けられている。係止体６０は、基端から互いに拡開した２本の棒材６１ａ，６１ｂの組からなる一対のアーム６１と、各アーム６１の棒材６１ａ，６１ｂの先端間に掛け渡されたロッド６２と、ロッド６２の両端に設けられたローラ６３と、各アーム６１の棒材６１ａ，６１ｂ間にロッド６２に接合されて仮設されロッド６２との接合部を上記の索体のフックが係止される係止部６４ａとして構成する架設杆６４とから構成されている。
図１２に示すように、このアーム６１の基端部は、支持軸６５を介して回動可能に第二カプセルＰ２の天井外側に設けられている。そして、係止体６０は、アーム６１の回動により第二カプセルＰ２側に横臥した収納位置Ｘと、この収納位置Ｘから起立し上記の索体のフックが係止可能な起立位置Ｙの２位置に回動する。
【００２７】
図１２に示すように、第二カプセルＰ２が対峙する上部の外壁１には、第二カプセルＰ２が通過可能な開口６６が設けられており、この開口６６にはヒンジ６７を介して両側に開く所謂観音開き型の常閉の開閉扉６８が設けられ、上記の係止体６０の収納位置Ｘで係止体６０を覆う。また、開閉扉６８は、係止体６０が収納位置Ｘから起立位置Ｙに回動する際、係止体６０のローラ６３によって押されて開かれる。
第二カプセルＰ２には、カプセル内で操作されて、開閉扉６８を開にして係止体６０を収納位置Ｘから起立位置Ｙに回動させて係止体６０を外部に露出させる扉駆動機構７０が設けられている。
【００２８】
扉駆動機構７０は、図１２に示すように、第二カプセルＰ２の天井を貫通し第二カプセルＰ２内の基端にハンドル７１を有しハンドル７１により回転せしめられて進退動する操作ボルト７２と、第二カプセルＰ２の天井に固定され進退動する操作ボルト７２が螺合して支持される支持ナット７３と、開閉扉６８に設けられ操作ボルト７２の進出時に先端の雄ネジが螺合して開閉扉６８を閉位置に保持する止めナット７４と、操作ボルト７２の雄ネジの先端側の軸部に抜け止めされて回動自在に設けられる駒７５と、駒７５に突設され上記のアーム６１の基端部に設けた長孔７６に係合する係合ピン７７とを備えている。
【００２９】
また、図１３乃至図１５に示すように、係止体６０を収納位置Ｘでロックする第一ロック機構８０及び第二ロック機構９０が設けられている。第一ロック機構８０は、上記の第一接続体５１及び第二接続体５２の接続をロックする機能も兼ね備えており、図１３（ｂ）に示すように、第一カプセルＰ１側の一方のアーム６１の基端部で支持軸６５よりもローラ６３側に後端が軸支され接続部５０側に延びる棒状部材８１と、第二接続体５２に回動可能に設けられ一端が棒状部材８１の先端に回動可能に連結され他端にローラ８２を有したリンク８３と、第一カプセルＰ１に固定され係止体６０の収納位置Ｘでリンク８３のローラ８２が係入して第二接続体５２を第一接続体５１に押圧せしめるローラ支持体８４とを備えて構成されている。
【００３０】
一方、第二ロック機構９０は、図１３及び図１４に示すように、他方のアーム６１の基端部で支持軸６５よりもローラ６３側に後端が軸支され外壁１の後部側に延びるターンバックル９１と、第二カプセルＰ２の外側補強板９２に一端が軸支され他端がフック状に形成されるとともにターンバックル９１の前端が軸支される係止フック９３と、外壁１に固定され係止体６０の収納位置Ｘで係止フックが係入する被係止部材９４とを備えて構成されている。
また、各アーム６１の左右には、夫々、第二カプセルＰ２の外側補強板９１との間にチェーン９５が架設されている。
【００３１】
そして、操作ボルト７２のハンドル７１を回転させて操作ボルト７２を後退させると、止めナット７４から操作ボルト７２が外れ、更に後退させると、駒７５に設けた係合ピン７７が長孔７６を介してアーム６１を回動させるので、係止体６０が収納位置Ｘから起立位置Ｙに移動する。これにより、係止体６０のローラ６３が開閉扉６８を押して開にするとともに、第一ロック機構８０において、棒状部材８１がアーム６１に引っ張られローラ支持体８４からローラ８２が外れ、第一接続体５１及び第二接続体５２のロックを解除する。また、第二ロック機構９０において、ターンバックル９１の先端の係止フック９３が被係止部材９４から外れて、第二カプセルＰ２のロックが解除される。そして、係止体６０が起立位置Ｙに至ると、開いた開閉扉６８から係止体６０の係止部６４ａが露出する。
【００３２】
気圧調整装置２００は、図１６に示すように、空気を圧縮するコンプレッサ１３と、コンプレッサ１３から各居住空間Ｋの空気供給口２０１，２０２，２０３に配管され空気量調整バルブ２０４，２０５，２０６により給気量を調整可能な給気管２０７と、各居住空間Ｋの空気排出口２１１，２１２，２１３に配管され各居住空間Ｋの空気を外部の集約排気口２０８から外気に排気し排気量調整バルブ２１４，２１５，２１６により排気量を調整可能な排気管２１７と備えて構成されている。尚、空気量調整バルブ２０４，２０５，２０６は、窒息を防止するため、全閉にならないようにしてある。第一高圧空間Ｋ１に配管された排気管２１７は、生活廃水貯留タンク１１を介して集約排気口２０８に至っている。また、第二カプセルＰ２には、空気タンクＡＴが搭載されており、第二高圧空間Ｋ２はバルブ２０９を介してこの空気タンクＡＴにも接続されている。
【００３３】
給気量調整バルブ２０４，２０５，２０６及び排気量調整バルブ２１４，２１５，２１６は、予め、居住空間Ｋの設定すべき内気圧を設定可能になっており、設定後は、居住空間Ｋ内の内気圧が設定された内気圧以上になると排気管２１７の開口面積を大きくして排気される空気の量を多くし、また、内気圧以下になると給気管２０７の開口面積を大きくしたり、排気管２１７を閉にして、排気される空気の量を少なくし、居住空間Ｋ内の内気圧を一定に保つようにしている。
【００３４】
そして、気圧調整装置２００により、例えば、第一高圧空間Ｋ１内の内気圧を１０００ｈＰａ〜２０００ｈＰａに加圧し、第二高圧空間Ｋ２内及び空気タンクＡＴの内気圧を１０００ｈＰａ〜３０００ｈＰａに加圧し、出入口空間ＫＡの内気圧を１０００ｈＰａ〜２０００ｈＰａの範囲で加圧設定保持する。
特に、実施の形態では、第一高圧空間Ｋ１内の内気圧を２０００ｈＰａに加圧し、第二高圧空間Ｋ２内の内気圧を３０００ｈＰａに加圧する。
また、酸素ボンベ１６の酸素を各居住空間Ｋに設けた酸素出口２２１，２２２，２２３にバルブを介して供給する酸素供給管２２４が設けられている。空気タンクＡＴにも酸素出口２２５を介して供給可能にしている。
【００３５】
また、居住空間Ｋ内には、飲料水貯留タンク１０の飲料水をポンプ２３０により給水する給水器が設けられている。給水器としては、居間３６のシンクに隣接して設けられた蛇口２３１、バスルーム３９の蛇口２３２，バスルーム３９のシャワー２３３，バスルーム３９の浴槽３８の給湯口２３４からなり、何れも飲料水貯留タンク１０内のポンプ２３０により水が供給される。また、各給水器（２３１〜２３４）は、給湯器１７にも接続されている。
更に、居住空間Ｋ内には、給水器（２３１〜２３４）から給水されて使用に供された生活廃水を排水する排水口２４０，２４１が設けられている。排水口２４１は、上記の空気排気口２１１と兼用されており、排気管２１７を通って生活廃水貯留タンク１１に至っている。生活廃水貯留タンク１１は外気に開放されているので外気圧に保持され、第一高圧空間Ｋ１は、該気圧よりも高い内気圧を有するので、圧力差により、排水口２４０，２４１からの生活廃水は、生活廃水貯留タンク１１に送給される。
【００３６】
更にまた、生活廃水を洗浄水として流して汚水として排水する水洗トイレ装置２５０が設けられている。水洗トイレ装置２５０は、居住空間Ｋの圧力差により生活廃水を洗浄水として流して汚水貯留タンク１２へ汚水として排水する洗浄機構２５１を備えている。詳しくは、洗浄機構２５１は、バルブ２５２により大気開放可能で、開放時に生活廃水貯留タンク１１から供給管２５４を通して生活廃水を貯留する床下タンク２５３と、床下タンク２５３の生活廃水からなる洗浄水を便器２５５に供給する供給管２５６と、使用後の便器２５５からの汚水を汚水貯留タンク１２に流す汚水管２５７と、空気タンクＡＴから電磁開閉バルブ２５８を介して床下タンク２５３に接続され電磁開閉バルブ２５８の開により空気タンクＡＴの空気を供給する空圧管２５９とを備えている。そして、空圧管２５９からの空気（３０００ｈＰａ）により、床下タンク２５３内の圧力を上げ、床下タンク２５３内の生活廃水を洗浄水として便器２５５内に流し込む。便器２５５に流し込まれた洗浄水は、圧力差により、汚水管２５７を通って汚水として汚水貯留タンク１２に流し込まれる。
【００３７】
尚、本実施の形態においては、各空気配管には、有害ガスを取り除く有害ガスフィルタが備えられている。また、居住空間Ｋには、周知のエアコンが備えられている。また、テレビ，冷蔵庫，電子レンジ等の電気製品が設置されても良い。更に、居住空間Ｋ内の酸素濃度が一定以下になると、居住空間Ｋ内に酸素ボンベ１６から酸素を供給するようにしている。酸素ボンベ１６を備えたので、居住空間Ｋ内の酸素濃度が低減しても酸素ボンベ１６の酸素を供給すれば良くなる。
【００３８】
従って、このシェルタＳによれば、以下のように作用する。このシェルタＳを使用する際は、シェルタＳを自動車Ｃ等で牽引して適宜の滞在場所へ輸送する。
先ず、出入りについて説明する。シェルタＳ内に外部から入る際は、出入口空間ＫＡを形成する第三カプセルＰ３において、外ドア２０を開けて出入口空間ＫＡに入り、外ドア２０及び内ドア２２を閉め、この状態で、気圧調整装置２００の空気量調整バルブ２０６により、出入口空間ＫＡの気圧を第一高圧空間Ｋ１の内気圧と同じにする。それから、内ドア２２を開けて第一高圧空間Ｋ１に入る。この場合、出入口空間ＫＡの気圧と第一高圧空間Ｋ１の内気圧とが同じなので、第一高圧空間Ｋ１の空気と外部の空気の急激な流通がなく、安全に入ることができるようになる。その後、内ドア２２を閉める。尚、内ドア２２を開けたままの状態にして、出入口空間ＫＡを居間３６として利用しても良い。
【００３９】
また、シェルタＳから外部に出る際は、出入口空間ＫＡを形成する第三カプセルＰ３において、第一高圧空間Ｋ１から内ドア２２を開けて出入口空間ＫＡに入り、外ドア２０及び内ドア２２を閉め、この状態で、気圧調整装置２００の排気量調整バルブ２１６により、出入口空間ＫＡの空気を外部に流出させて、出入口空間ＫＡの気圧を外気圧と同じにする。この状態で、外ドア２０を開けて外部に出る。この場合、出入口空間ＫＡの気圧が外気圧と同じになっているので、第一高圧空間Ｋ１の空気と外部の空気の急激な流通がなく、安全に出ることができるようになる。
【００４０】
次に、居住空間Ｋ内での居住時について説明する。第一高圧空間Ｋ１においては、空気量調整バルブ２０４及び排気量調整バルブ２１４により、予め所望の内気圧（例えば、２０００ｈＰａ）の値に設定しておく。これにより、常時外気圧より高い気圧環境で居住することができ、一般に外気圧より高い環境は、健康に良いとされ、療養施設としても使用することができ、使用用途を広げることができる。また、気圧変動がないことから、居住性が向上させられ長期滞在が快適にできるようになる。更に、外気を取り入れる際、空気は有害ガスフィルタを通ることになり、例えば、外気が放射線物質等に汚染されたりして、外気に有害物質が含まれていたり、また、シェルタＳの周囲に有害なガスが発生していても、これらの有害物質やガスを取り除くことができるので、無害な空気を居住空間Ｋ内に取り入れることができる。
【００４１】
第一高圧空間Ｋ１において、例えば、炊事を行なうときは、シンク３８を使用する。飲料水は蛇口２３１から供給され、排水口２４０から生活廃水貯留タンク１１へ排水される。この場合、第一高圧空間Ｋ１の圧力は高いので、圧力差により排水が行なわれる。
また、入浴する場合には、バスルーム３９に入り、浴槽３８やシャワー２３３を利用する。この場合、バスルーム３９の蛇口２３２，バスルーム３９のシャワー２３３，バスルーム３９の浴槽３８の給湯口２３４から、水または湯が、飲料水貯留タンク１０内のポンプ２３０あるいは給湯器１７により供給される。排水は、排水口２４１から生活廃水貯留タンク１１へ排水される。この場合、第一高圧空間Ｋ１の圧力は高いので、圧力差により排水が行なわれる。
【００４２】
また、トイレ３７を使用するときは、水洗トイレ装置２５０において便器２５５を使用する。使用後は、電磁開閉バルブ２５８を開にする。これにより、空気タンクＡＴの空気（３０００ｈＰａ）が床下タンク２５３内に入り込み、床下タンク２５３内の圧力を上げ、床下タンク２５３内の生活廃水を洗浄水として便器２５５内に流し込む。便器２５５に流し込まれた洗浄水は、圧力差により、汚水管２５７を通って汚水として汚水貯留タンク１２に流し込まれる。電磁開閉バルブ２５８が閉になると、床下タンク２５３はバルブ２５２により大気開放されているので、生活廃水貯留タンク１１から供給管２５４を通して落差により生活廃水が供給され、貯留される。この場合、生活廃水を二次利用するので無駄がなく効率が極めて良くなる。
【００４３】
次に、就寝するときは、先ず、第一高圧空間Ｋ１の二階フロア３１の寝室を用いる。また、第二高圧空間Ｋ２を使用することもできる。第二高圧空間Ｋ２を使用する際は、図１０に示すように、開閉ドア２４及びシャッタ２５を開けて、第一高圧空間Ｋ１から第二高圧空間Ｋ２に入る。そして、第二高圧空間Ｋ２においては、空気量調整バルブ２０５及び排気量調整バルブ２１５により、予め第一高圧空間Ｋ１の内気圧と異なる所望の内気圧（例えば、３０００ｈＰａ）の値に設定しておく。これにより、第一高圧空間Ｋ１の内気圧よりも更に高い内気圧環境あるいは低い内気圧環境で居住することができる。そのため、居住者が複数いる場合で、各居住者毎に体調等の理由で最適な気圧が必要になる際等、特に、睡眠時間は長く、この間の気圧調整は重要であるが、寝室が第一高圧空間Ｋ１及び第二高圧空間Ｋ２にあり、夫々異なる内気圧に設定できるので、各居住者毎に最適な気圧を選択することができ、そのため、居住性が向上させられ、長期滞在が快適にできるようになる。
また、非常時には、一時的に外気の取り入れをやめて、酸素ボンベ１６の酸素により生活することもできる。
【００４４】
次に、このシェルタＳが非常時において火災等に晒され、出入口空間ＫＡからの脱出が困難になるような場合、第二高圧空間Ｋ２を構成する第二カプセルＰ２を用い、例えば、ヘリコプターの吊下による脱出方法について説明する。
図１０に示すように、脱出の際は、第二カプセルＰ２の第二高圧空間Ｋ２に入る。そして、シャッタ２５を閉める。この状態で、図１２に示すように、操作ボルト７２のハンドル７１を回転させて操作ボルト７２を後退させる。居住者はカプセル内に入って操作できるので、外部の影響を受けることなく安全に操作することができる。
【００４５】
これにより、止めナット７４から操作ボルト７２が外れ、更に後退させると、駒７５に設けた係合ピン７７が長孔７６を介してアーム６１を回動させるので、図１２及び図１５に示すように、係止体６０が収納位置Ｘから起立位置Ｙに移動する。これにより、係止体６０のローラ６３が開閉扉６８を押して開にするとともに、第一ロック機構８０において、棒状部材８１がアーム６１に引っ張られローラ支持体８４からローラ８２が外れ、第一接続体５１及び第二接続体５２のロックを解除する。また、第二ロック機構９０において、ターンバックル９１の先端の係止フック９３が被係止部材９４から外れて、第二カプセルＰ２のロックが解除される。そして、係止体６０が起立位置Ｙに至ると、開いた開閉扉６８から係止体６０の係止部６４ａが露出する。
この状態において、ヘリコプターの索体に設けたフックを係止部６４ａに係止し引き上げる。この場合、第二高圧空間Ｋ２内には、空気タンクＡＴから酸素が供給可能なので、安全が確保される。この結果、非常時において、安全な脱出を行なうことができる。
【００４６】
図１７及び図１８には、本発明の第一の実施の形態に係るシェルタＳにおいて、第一高圧空間Ｋ１の変形例を示している。これは、居間３６とバスルーム３９を兼用するようにし、スペースを有効利用したタイプのものである。
詳しくは、また、第一高圧空間Ｋ１の床には、中央に浴槽３８が設けられている。浴槽３８の開口には、上下動可能な脚３００及び脚３００に支持され浴槽３８の開口を覆う板体３０１が設けられている。そして、脚３００の上下動により、板体３０１を居住者の足を浴槽３８内に入れかつ床３０２に座してテーブルとして使用できる上昇位置Ｊ１，板体３０１を床３０２と面一つにして板体３０１を床として用いる中間位置Ｊ２，板体３０１を浴槽３８の底に位置させて浴槽３８を有効にする下降位置Ｊ３の３位置に移動可能にしている。
脚３００は、上記の空気タンクＡＴ（３０００ｈＰａ）をエア源として作動させられるエアシリンダ装置になっており、空気タンクＡＴからのエアの供給時に上昇し、エアの非供給時に下降する。また、浴槽３８には床板３０１を中間位置Ｊ２に保持し、空気タンクＡＴをエア源として作動するエアシリンダ型のストッパ３０３が設けられている。ストッパ３０３は、空気タンクＡＴからのエアの供給時に突出して板体３０１を支持し、エアの非供給時に後退して板体３０１の下降を許容する。
【００４７】
従って、板体３０１をテーブルとして使用するときは、空気タンクＡＴからストッパ３０３へのエアの供給を停止してストッパ３０３を後退させ、空気タンクＡＴから脚３００にエアを供給し板体３０１を上場位置Ｊ１にする。また、板体３０１を床として使用するときは、空気タンクＡＴからストッパ３０３へエアを供給してストッパ３０３を突出させ、空気タンクＡＴから脚３００へのエアの供給を停止し板体３０１を中間位置Ｊ２にする。更にまた、浴槽３８で入浴するときは、空気タンクＡＴからストッパ３０３へのエアの供給を停止してストッパ３０３を後退させ、空気タンクＡＴから脚３００へのエアの供給を停止し板体３０１を下降位置Ｊ３にする。
これにより、狭い居住空間Ｋを効率よく利用することができ、居住性が向上させられ、長期滞在を快適に行なうことができるようになる。
【００４８】
図１９には、本発明の第一の実施の形態に係るシェルタＳにおいて、第一高圧空間Ｋ１のまた別の変形例を示している。これは、階段３１０として折畳タイプのもの２つ設けたものである。また、二階フロア３１から、サブフロア３１１を出し入れ自在に設けた構成としている。二階フロア３１及びサブフロア３１１はベッドとして用いられる。尚、サブフロア３１１の使用時にはサブフロア３１１の外延に、落下防止のためのネット（図示せず）が張設される。
これにより、常時は、階段３１０を折畳んでおく。そのため、居間３６を広く利用でき、狭い居住空間Ｋを効率よく利用することができ、居住性が向上させられ、長期滞在を快適に行なうことができるようになる。また、就寝するときは、階段３１０を一階フロア３０に伸ばす。この場合、階段３１０は２つあるので、ベッドが複数ある場合往来が容易になる。また、サブフロア３１１も利用できるので、居住者の収容人数を増加させることができる。
【００４９】
図２０及び図２１には、本発明の第二の実施の形態に係るシェルタＳを示している。このシェルタＳは、居住空間Ｋとしては、外気よりも高い互いに異なる内気圧に設定保持可能に区画された２以上の高圧空間Ｋ１〜Ｋ５を備えて構成されている。また、居住空間Ｋとしては、外との出入りの際に使用する出入口空間ＫＡを備えている。出入口空間ＫＡには、ヒンジ開閉型の外ドア２０と、第一高圧空間Ｋ１に出入りするための内ドア２２とが備えられている。
【００５０】
第一高圧空間Ｋ１と第二乃至第五高圧空間Ｋ２〜Ｋ５とは開閉ドア３２０を介して連通されている。
第一高圧空間Ｋ１は、一階フロア３０と、二階フロア３１とを備え、各階との間に往来可能な階段３２が設けられている。
一階フロア３０には、中央のテーブル３２１及びこれを取り囲む椅子３２２を配設した居間３６と、左右一対ずつ対称に設けられカーテンで仕切られた４つの寝室３２３と、壁で仕切られたシンクを備えた台所３２４と、壁で仕切られた３つのトイレ３７と、壁で仕切られ浴槽３８を備えたバスルーム３９とが設けられている。
二階フロア３１は、一階フロア３０の寝室の上に対応して設けられカーテンで仕切られた４つの寝室３２３からなる。
これによれば、各高圧空間Ｋ１〜Ｋ５は、夫々、別々に異なる内気圧に圧力調整が可能なので、そのため、居住者が複数（例えば１０人）いる場合には、各居住者毎に体調等の理由で最適な気圧が必要になることがあり、特に、睡眠時間は長く、この間の気圧調整は重要であるが、寝室が第一乃至第五高圧空間Ｋ１〜Ｋ５に夫々あり、夫々異なる内気圧に設定できるので、各居住者毎に最適な気圧を選択することができ、そのため、居住性が向上させられ、長期滞在が快適にできるようになる。
【００５１】
尚、上記高圧空間の数は上述したものに限定されるものではなく、適宜数設けてよい。また、出入口空間ＫＡは、隣接する第一高圧空間Ｋ１と同じ圧力にしか設定できないようになっているが、これを、外気よりも高い他の高圧空間と異なる内気圧に設定保持可能な、高圧空間として構成しても良く、適宜変更して差支えない。尚また、上記実施例において、各居住空間Ｋに、上記以外のどのような備品を備えてもよいことは勿論である。
尚また、生活排水及び汚水は、バイオマスにより清水に戻し非常用水等に利用することができる。
【産業上の利用可能性】
【００５２】
本発明のシェルタは、セカンドハウスとしても利用できる。居住においては、居住者の健康を確保できるとともに、高気圧内に貯蔵された食物においても波動調整がなされて健康食にすることができるなどの効果が期待できる。また、シェルタ本来の機能のみならず、大火災の場合等、カプセルを本体から切り離してヘリコプターで吊り上げて脱出ができるので、より一層安全性の高いシェルタとして普及が期待される。
【図面の簡単な説明】
【００５３】
【図１】本発明の第一の実施の形態に係るシェルタをその外壁を一部除いて示す後側から見た斜視図である。
【図２】本発明の第一の実施の形態に係るシェルタを示す後側から見た斜視図である。
【図３】本発明の第一の実施の形態に係るシェルタをその外壁を一部除いて示す前側から見た斜視図である。
【図４】本発明の第一の実施の形態に係るシェルタをその第二カプセルを離脱させた状態で示す後側から見た斜視図である。
【図５】本発明の第一の実施の形態に係るシェルタの内部構造を示す一部切欠き斜視図である。
【図６】本発明の第一の実施の形態に係るシェルタの外壁構造を示す一部切欠き斜視図である。
【図７】本発明の第一の実施の形態に係るシェルタの内部構造を種々の角度から見た斜視図（ａ〜ｂ）である。
【図８】本発明の第一の実施の形態に係るシェルタの内部構造を示す下側の平面断面図である。
【図９】本発明の第一の実施の形態に係るシェルタの内部構造を示す上側の平面断面図である。
【図１０】本発明の第一の実施の形態に係るシェルタの内部構造を示す中間の平面断面図である。
【図１１】本発明の第一の実施の形態に係るシェルタにおいて第一カプセルと第二カプセルの接続状態を示す断面図である。
【図１２】本発明の第一の実施の形態に係るシェルタにおいて第二カプセルの係止体及び扉駆動機構を示す断面図である。
【図１３】本発明の第一の実施の形態に係るシェルタの第二カプセルにおいて係止体の収納位置の状態を示す図であり、（ａ）は平面図、（ｂ）は正面図である。
【図１４】本発明の第一の実施の形態に係るシェルタの第二カプセルにおいて係止体の起立位置の状態を示す図であり、（ａ）は平面図、（ｂ）は正面図である。
【図１５】本発明の第一の実施の形態に係るシェルタの第二カプセルにおいて係止体及び扉駆動機構の作動工程を示す図である。
【図１６】本発明の第一の実施の形態に係るシェルタにおいて気圧調整装置を給水，排水管系の状態とともに示す図である。
【図１７】本発明の第一の実施の形態に係るシェルタにおいて第一高圧空間の変形例を示す断面図である。
【図１８】図１７の要部拡大断面図である。
【図１９】本発明の第一の実施の形態に係るシェルタにおいて第一高圧空間の別の変形例を示す図である。
【図２０】本発明の第二の実施の形態に係るシェルタを示す閉断面図である。
【図２１】本発明の第二の実施の形態に係るシェルタを示し、（Ａ）は図２０中Ａ−Ａ断面図、（Ｂ）は図２０中B−B断面図、（Ｃ）は図２０中Ｃ−Ｃ断面図、（Ｄ）は図２０中Ｄ−Ｄ断面図である。
【図２２】従来のシェルタの一例を模式的に示す断面図である。
【符号の説明】
【００５４】
Ｓ  シェルタ
Ｃ  自動車
１  外壁
Ｋ  居住空間
６  車台
７  車輪
１０  飲料水貯留タンク
１１  生活廃水貯留タンク
１２  汚水貯留タンク
１３  コンプレッサ
１４  発電機
１５  ＬＰガスボンベ
１６  酸素ボンベ
１７  給湯器
１８  ガソリンタンク
Ｋ１  第一高圧空間
Ｋ２  第二高圧空間
Ｋ３〜Ｋ５  第三〜第五高圧空間
ＫＡ  出入口空間
Ｐ１  第一カプセル
Ｐ２  第二カプセル
Ｐ３  第三カプセル
２０  外ドア
２２  内ドア
３０  一階フロア
３１  二階フロア
３２  階段
３４  入口ホール
３５  シンク
３６  居間
３７  トイレ
３８  浴槽
３９  バスルーム
ＡＴ  空気タンク
５０  接続部
５１  第一接続体
５２  第二接続体
５３，５４  連通路
６０  係止体
６１  アーム
６３  ローラ
６４ａ  係止部
Ｘ  収納位置
Ｙ  起立位置
６８  開閉扉
７０  扉駆動機構
７１  ハンドル
７２  操作ボルト
７４  止めナット
８０  第一ロック機構
９０  第二ロック機構
２００  気圧調整装置
２０１，２０２，２０３  空気供給口
２０４，２０５，２０６  空気量調整バルブ
２１１，２１２，２１３  空気排出口
２１４，２１５，２１６  排気量調整バルブ
【図１】
2006328912.tif 000003
【図２】
2006328912.tif 000004
【図３】
2006328912.tif 000005
【図４】
2006328912.tif 000006
【図５】
2006328912.tif 000007
【図６】
2006328912.tif 000008
【図７】
2006328912.tif 000009
【図８】
2006328912.tif 000010
【図９】
2006328912.tif 000011
【図１０】
2006328912.tif 000012
【図１１】
2006328912.tif 000013
【図１２】
2006328912.tif 000014
【図１３】
2006328912.tif 000015
【図１４】
2006328912.tif 000016
【図１５】
2006328912.tif 000017
【図１６】
2006328912.tif 000018
【図１７】
2006328912.tif 000019
【図１８】
2006328912.tif 000020
【図１９】
2006328912.tif 000021
【図２０】
2006328912.tif 000022
【図２１】
2006328912.tif 000023
【図２２】
2006328912.tif 000024